(57)【要約】【課題】容易に管状トラップの内部を確認でき、しかも、排水ソケット部の高さに応じて、管状トラップの長さを調整することができる便器装置を提供する。【解決手段】本発明の便器装置は、ボウル部１１と、ボウル部１１の下流側に連通した管状トラップ３とを備えている。便器装置は、設置面に設置された状態において、設置面に設けられた排水ソケット部８に管状トラップ３の下流端部が挿入されて接続される。ボウル部１１と管状トラップ３とは別体で構成されている。管状トラップ３の下流端部が切断可能部６１となっている。【選択図】図１
2013221266.tif 000002
【特許請求の範囲】
【請求項１】
ボウル部と、
前記ボウル部の下流側に連通した管状トラップと
を備え、
設置面に設置された状態において、前記設置面に設けられた排水ソケット部に前記管状トラップの下流端部が挿入されて接続される便器装置であって、
前記ボウル部と前記管状トラップとは別体で構成されており、
前記管状トラップの下流端部が切断可能部となっており、
前記管状トラップの上流端部に前記ボウル部の下流端部が挿入されて接続される
ことを特徴とする便器装置。
【請求項２】
前記管状トラップの切断可能部は合成樹脂により形成されたものである
ことを特徴とする請求項１記載の便器装置。
【請求項３】
前記管状トラップは、
前記ボウル部の下流側に連通接続された屈曲管部と、
この屈曲管部を前記設置面上に支持する支持台部と
を備えている
ことを特徴とする請求項１または請求項２のいずれかに記載の便器装置。
【発明の詳細な説明】
【技術分野】
【０００１】
本発明は、便器装置に関する。
【背景技術】
【０００２】
従来、便器装置が知られている（例えば特許文献１参照）。
【０００３】
この特許文献１記載の水洗便器は、ボウル部と、サイホントラップ部とを備えている。サイホントラップ部は、ボウル部の下端部から上方に向かって延出し、さらにその上端から下方に向かうように屈曲している。これにより、サイホントラップ部は封水を形成する。この水洗便器は、ボウル部とサイホントラップ部とが一体成形されている。
【先行技術文献】
【特許文献】
【０００４】
【特許文献１】特開２００７−２２４６２２号公報
【発明の概要】
【発明が解決しようとする課題】
【０００５】
ところで、特許文献１記載の水洗便器は、汚物を流した際、サイホントラップ部に汚物やトイレットペーパーが詰まる場合がある。通常、この詰まりを解消するために、ラバーカップが用いられる。
【０００６】
ところがラバーカップを用いても詰まりが解消できない場合がある。この場合、水洗便器を設置面から取り外して、サイホントラップ部の詰まりを修復する必要がある。しかしながら、この水洗便器は、ボウル部とサイホントラップ部とが一体成形されたものであるため、サイホントラップ部とボウル部とを一緒に設置面から持ち上げるだけでなく、引っ繰り返した状態でなければ、サイホントラップ部の内部の状態を確認できない。
【０００７】
また、このような水洗便器は、サイホントラップ部の下流端部が、設置面に設けられた排水ソケット部内に挿入されて接続される。しかしながら、この排水ソケット部は種類によって高さが異なる。このため、排水ソケット部に適合したサイホントラップ部でなければ、設置することができない場合がある。従来の水洗便器では、この場合、水洗便器の全体を取り替える必要がある。
【０００８】
本発明は、上記事情に鑑みてなされたものであり、その目的とするところは、容易に管状トラップの内部を確認でき、しかも、排水ソケット部の高さに応じて、管状トラップの長さを調整することができる便器装置を提供することにある。
【課題を解決するための手段】
【０００９】
本発明の便器装置は、ボウル部と、前記ボウル部の下流側に連通した管状トラップとを備え、設置面に設置された状態において、前記設置面に設けられた排水ソケット部に前記管状トラップの下流端部が挿入されて接続される便器装置であって、前記ボウル部と前記管状トラップとは別体で構成されており、前記管状トラップの下流端部が切断可能部となっており、前記管状トラップの上流端部に前記ボウル部の下流端部が挿入されて接続されることを特徴とする。
【００１０】
またこの便器装置において、前記管状トラップの切断可能部は合成樹脂により形成されたものであることが好ましい。
【００１１】
またこの便器装置において、前記管状トラップは、管状トラップを設置面上に支持する支持台部を有していることが好ましい。
【発明の効果】
【００１２】
本発明の便器装置は、ボウル部と管状トラップとが別体であるため、管状トラップを設置面に残した状態で、ボウル部を持ち上げることができる。これにより、本発明の便器装置によれば、ボウル部を持ち上げて取り外すだけで、容易に管状トラップの内部を確認できる。また、管状トラップの下流端部が切断可能部となっている。このため、排水ソケット部の高さに応じて管状トラップの下流端部を切断することができる。すなわち本発明の便器装置によれば、排水ソケット部の高さに応じて、管状トラップの長さを調整することができる。
【図面の簡単な説明】
【００１３】
【図１】本実施形態の便器装置の分解斜視図である。
【図２】本実施形態の管状トラップの下流端部を切断して設置する場合を説明する図である。
【発明を実施するための形態】
【００１４】
以下、本発明の実施形態について添付図面に基づいて説明する。
【００１５】
本実施形態の便器装置は、図１に示されるように、便器本体１と、管状トラップ３とを備えている。便器装置は、設置面上に載置固定される。便器装置は、トイレルーム内に収容される。設置面は、便器装置が取り付けられる面である。設置面は、例えば、トイレルームの床面により構成される。
【００１６】
便器本体１は、ボウル部１１と、リム部１２と、外郭部１３と、フレーム（図示せず）とを備えている。また便器本体１は、タンク部１４を備えている。ボウル部１１は、上方が開口した椀状に形成されている。ボウル部１１は、汚物を受ける面である。ボウル部１１の下端部には、排水開口１５が設けられている。排水開口１５は、下方に向かって突出している。ボウル部１１の内面は、排水開口１５に向かって下り傾斜している。ボウル部１１は、合成樹脂により成形されている。
【００１７】
リム部１２は、ボウル部１１の開口上縁部に配置される。リム部１２は、平面視リング状をしている。リム部１２には便座（図示せず）が載置される。リム部１２は合成樹脂により成形されている。リム部１２は、ボウル部１１に一体成形されている。
【００１８】
外郭部１３は、便器本体１の外郭を形成する。外郭部１３は、スカート部１６と、後カバー部１７とを備えている。スカート部１６は、便器本体１の前方側の外側面を覆う。すなわち、スカート部１６は、ボウル部１１の外側面を覆う。スカート部１６は、合成樹脂により成形されている。スカート部１６は、ボウル部１１とリム部１２とに一体成形されている。
【００１９】
後カバー部１７は、便器本体１の後方側の外側面を覆う。後カバー部１７は、便器本体１の外周において、スカート部１６以外の部分を覆う。後カバー部１７は合成樹脂により成形されている。
【００２０】
スカート部１６と後カバー部１７とは、フレームに着脱自在に取り付けられる。これにより便器本体１の外郭が形成されている。
【００２１】
また、便器本体１は、便座と、便蓋（図示せず）とを備えている。便座と便蓋とは、外郭部１３に回動自在に取り付けられている。なお、図１において、便座と便蓋とは図示を省略している。
【００２２】
タンク部１４は、ボウル部１１の後方側に設けられている。言い換えるとタンク部１４は、便器本体１の後端部に設けられている。タンク部１４には、水が貯留される。タンク部１４には、給水路（図示せず）と吐出路（図示せず）とが接続されている。給水路は水道管等の水源に接続されている。吐出路の下流端は、ボウル部１１に臨んでいる。これによりタンク部１４内の水は、吐出路を介してボウル部１１に供給される。タンク部１４は、合成樹脂により形成されている。
【００２３】
管状トラップ３は、ボウル部１１の下流側に連通接続されている。管状トラップ３は、ボウル部１１とは別体となっている。管状トラップ３は、ボウル部接続部４と、屈曲管部５と、ソケット接続部６とを備えている。管状トラップ３は、サイホン式のトラップを構成する。管状トラップ３は、合成樹脂により形成されている。
【００２４】
ボウル部接続部４は、フランジ状に形成されている。ボウル部接続部４は、上開口４１を有している。上開口４１は、ボウル部接続部４の中央に設けられている。上開口４１は、上方に向かって開口している。上開口４１の内部には、ボウル部１１の排水開口１５が挿入される。上開口４１の開口内縁には、Ｏリング４２が設けられている。これにより、ボウル部１１の排水開口１５が上開口４１内に挿入されると、ボウル部１１と管状トラップ３とが水密的に接続される。
【００２５】
屈曲管部５は、横倒し略Ｓ字形状となっている。屈曲管部５は、上流から下流側に向かって、第一直管部５１と、下屈曲部５２と、第二直管部５３と、上屈曲部５４と、第三直管部５５とを備えている。第一直管部５１は、ボウル部接続部４から下方に向かって延出している。第二直管部５３は、第一直管部５１の下端から下屈曲部５２を介して上方に向かって延出している。第三直管部５５は、第二直管部５３の上端から上屈曲部５４を介して下方に向かって延出している。第一直管部５１と、下屈曲部５２と、第二直管部５３と、上屈曲部５４と、第三直管部５５とは一体成形されている。また、上屈曲部５４の内側面の下方側の頂部５６は、ボウル部接続部４の上端面よりも下方に位置している。
【００２６】
管状トラップ３には、封水が形成される。封水は、管状トラップ３よりも下流側の排水口から臭気等が逆流するのを防止する。封水は、ボウル部接続部４の上端面よりも下方に形成される。
【００２７】
ソケット接続部６は、設置面の排水ソケット部８に接続される。ソケット接続部６は、管状トラップ３の下流端部に位置している。また、ソケット接続部６は、切断可能部６１となっている。
【００２８】
より詳しく言うと、切断可能部６１は、第三直管部５５により構成される。また、管状トラップ３は合成樹脂により形成されているため、第三直管部５５も合成樹脂により形成されている。このため、第三直管部５５は、上下方向の任意の位置で切断することができるようになっている。つまり、切断可能部６１は、ソケット接続部６の長手方向の任意の位置で切断することができる部分である。
【００２９】
管状トラップ３は、支持台部７を備えている。支持台部７は、屈曲管部５を設置面上に支持する。支持台部７は、固定部７１と、台本体部７２とを有している。台本体部７２は、正面視略台形をしている。台本体部７２の上端は、屈曲管部５に固着されている。支持台部７は、屈曲管部５と一体成形、または屈曲管部５に接着されて固着されている。固定部７１は、台本体部７２の下端部に設けられている。固定部７１は、設置面上に載置されて固定される。固定部７１は、複数の固着具挿通孔を有している。
【００３０】
設置面には排水口（図示せず）が形成されている。排水口には、排水ソケット部８が取り付けられている。排水ソケット部８は、床フランジ８１と、アダプター部８２と、接続フランジ８３とを備えている。床フランジ８１は、設置面上に配置される。アダプター部８２は、床フランジ８１から上方に向かって延出している。接続フランジ８３は、アダプター部８２の上端に設けられている。接続フランジ８３の中央部には、挿入口８４が形成されている。床フランジ８１の中央部には、排出口８５が形成されている。挿入口８４と排出口８５とは、流通路８６を介して連通している。挿入口８４には、管状トラップ３のソケット接続部６が挿入される。
【００３１】
排水ソケット部８は、設置面に取り付けられる。設置面上に排水ソケット部８が設置されると、流通路８６と、設置面の排水口とが連通接続される。
【００３２】
次に、施工者が便器装置を設置面上に設置する場合につき説明する。
【００３３】
施工者は、まず、管状トラップ３を排水ソケット部８に接続する。このとき、図２に示すように、排水ソケット部８の高さに合わせて、管状トラップ３の切断可能部６１を切断する。この後、施工者は、管状トラップ３のソケット接続部６を排水ソケット部８の挿入口８４に挿入した状態で、支持台部７を設置面に固定する。設置面への支持台部７の固定は、例えば、ビス等の固着具９を固着具挿通孔に挿通し、設置面に固着することで行われる。
【００３４】
次いで施工者は、便器本体１を管状トラップ３に接続する。このとき、図１に示すように、管状トラップ３のボウル部接続部４の上開口４１内にボウル部１１の排水開口１５を挿入して、管状トラップ３とボウル部１１とを連通接続する。
【００３５】
そして、便器装置を設置面に固定し、便器装置の設置が完了する。
【００３６】
管状トラップ３が詰まったときなどに、管状トラップ３の状態を確認したい場合、作業者は、便器本体１を設置面から持ち上げる。このとき、管状トラップ３は支持台部７を介して設置面に固定されているため、作業者は、便器本体１を上方に持ち上げるだけで、ボウル部１１を管状トラップ３から取り外すことができる。これにより、管状トラップ３は設置面上に残置される。この結果、作業者は管状トラップ３の状態を確認することができる。
【００３７】
以上説明したように、本実施形態の便器装置は、ボウル部１１と、管状トラップ３とを備えている。管状トラップ３はボウル部１１の下流側に連通している。便器装置は、設置面に設置されると、排水ソケット部８に管状トラップ３の下流端部が挿入されて接続される。また、ボウル部１１と管状トラップ３とは、別体で構成されている。管状トラップ３の下流端部が切断可能部６１となっている。
【００３８】
このように、本実施形態の便器装置はボウル部１１と管状トラップ３とが別体である。このため、作業者は、管状トラップ３を設置面に残したまま、便器本体１を取り外すことができる。これにより、便器装置の使用の際に、管状トラップ３が詰まったとしても、便器本体１を上方に持ち上げるだけで、管状トラップ３の内部の状態を簡単に確認することができる。また、設置面に設けられた排水ソケット部８の挿入口８４の径や形状が、管状トラップ３の下流端部の形状と異なっていたとしても、便器本体１はそのままで、管状トラップ３のみを変更するだけでよい。また、本実施形態の便器装置は、管状トラップ３の下流端部が切断可能部６１となっているため、図１の排水ソケット部８と図２の排水ソケット部８の違いのように、設置面に設けられた排水ソケット部８の挿入口８４の高さが異なっていたとしても、排水ソケット部８のアダプター部８２の高さに合わせて、管状トラップ３の長さを現場で調整することができる。
【００３９】
また、本実施形態の便器装置は、管状トラップ３の切断可能部６１は、合成樹脂により形成されている。このため、作業者は、簡単に、管状トラップ３の切断可能部６１を切断することができる。
【００４０】
また本実施形態の便器装置は、管状トラップ３が合成樹脂により形成されているため、高い寸法精度で成形することができる。この点、従来の便器装置は、陶器により形成されていたため寸法精度が悪かった。このため従来の便器装置においては、成形上のばらつきを考慮すると、封水の設定高さを高くせざるを得なかった。しかしながら本実施形態の便器装置によれば、管状トラップ３を高い寸法精度で成形できるため、封水の設定高さを規定の高さまで極力低くできる。この結果、封水の水量を制限できて、節水をすることができる。
【００４１】
また本実施形態の管状トラップ３は、屈曲管部５と、支持台部７とを備えている。屈曲管部５は、ボウル部１１の下流側に連通接続される。支持台部７は、屈曲管部５を設置面上に支持する。
【００４２】
このように本実施形態の便器装置は、屈曲管部５が支持台部７により支持されているため、ボウル部１１を上方から押し込むだけで、管状トラップ３とボウル部１１とをしっかりと接続することができる。また、便器装置の設置後においても、管状トラップ３の自重で管状トラップ３が下方に撓むのを防止できる。これにより、管状トラップ３とボウル部１１との接続状態が低下するのを防ぐことができる。
【００４３】
また本実施形態の支持台部７は、設置面に固定されているため、単に、便器本体１を上方に持ち上げるだけで、管状トラップ３を設置面上に残置できる。この結果、メンテナンス性を一層向上させることができる。
【００４４】
以上、本発明を添付図面に示す実施形態に基づいて説明したが、本発明は上記の各実施形態に限定されるものではなく、本発明の意図する範囲内であれば、適宜の設計変更が可能である。例えば、ボウル部１１やタンク部１４は陶器により形成してもよく、また、管状トラップ３と支持台部７は固着せずに、嵌め込んで固定するようにしてもよい。
【符号の説明】
【００４５】
１      便器本体
１１    ボウル部
１２    リム部
１３    外郭部
１４    タンク部
１５    排水開口
１６    スカート部
１７    後カバー部
３      管状トラップ
４      ボウル部接続部
４１    上開口
４２    Ｏリング
５      屈曲管部
５１    第一直管部
５２    下屈曲部
５３    第二直管部
５４    上屈曲部
５５    第三直管部
５６    頂部
６      ソケット接続部
６１    切断可能部
７      支持台部
７１    固定部
８      排水ソケット部
８１    床フランジ
８２    アダプター部
８３    接続フランジ
８４    挿入口
８５    排出口
８６    流通路
【図１】
2013221266.tif 000003
【図２】
2013221266.tif 000004